(57)【要約】【課題】小切手処理装置などの記録媒体搬送経路における奥まった位置にある２組の搬送ローラー対の間の区間の保守作業を容易にすること。【解決手段】小切手処理装置１は、装置前面に配置されたフロントフレーム１５に小切手挿入口６を形成しており、小切手挿入口６の上部を横断して片持ち状態で延びる上縁フレーム１８を備えている。上縁フレーム１８にはキャリッジフレーム１７の前端部分が回転自在に取り付けられている。キャリッジフレーム１７に搭載された記録ヘッド１２、キャリッジ走査機構、ローラー１３Ａ、紙案内部材７Ｂ、開閉ユニットカバー３などの各部材は、キャリッジフレーム１７と一体となって旋回する開閉ユニット２０を構成している。開閉ユニット２０を小切手搬送経路Ａの上方に立ち上がる開位置Ｐ２に移動させて、小切手搬送経路Ａの奥まった位置にある円弧状搬送経路部分Ｃを開閉する。【選択図】図１１
2011111311.tif 000002
【特許請求の範囲】
【請求項１】
シート状の記録媒体に対する情報の記録もしくは読み取りを行うヘッドと、
当該ヘッドを経由する前記記録媒体の搬送経路において前記記録媒体を挟み込んで搬送するローラー対と、
前記搬送経路を横断する方向に片持ち状態で延びている片持ちフレームと、
当該片持ちフレームに一端が回転自在に支持されている開閉ユニットと、を有し、
当該開閉ユニットは、前記一端を中心として旋回することにより、前記搬送経路における少なくとも前記ローラー対による搬送位置を覆う閉位置と、当該搬送位置を外部に露出させる開位置との間を移動することを特徴とする記録媒体処理装置。
【請求項２】
請求項１において、
前記片持ちフレームは、前記搬送経路への記録媒体の挿入口が形成された装置前面部分を構成しているフロントフレームの上縁部分であり、
前記開閉ユニットは、前記上縁部分に沿って延びる回転中心線を中心として、前記搬送経路の上方に立ち上がる前記開位置と、前記搬送経路に沿って倒れている前記閉位置との間を移動することを特徴とする記録媒体処理装置。
【請求項３】
請求項２において、
前記搬送経路は、前記挿入口から装置後方に向かって延びる第１搬送経路部分と、当該第１搬送経路部分の後端から上向きに湾曲する円弧状搬送経路部分と、当該円弧状搬送経路部分の後端から装置上面に設けられた前記記録媒体の排出口まで延びる第２搬送経路部分とを備え、
前記開閉ユニットが前記開位置にある状態では、少なくとも前記円弧状搬送経路部分が外部に露出されることを特徴とする記録媒体処理装置。
【請求項４】
請求項３において、
前記第１搬送経路部分に設けられた第１ヘッドと、前記第２搬送経路部分に設けられた第２ヘッドを含む少なくとも２つの前記ヘッドを備えると共に、
前記第１ヘッドの近傍において前記記録媒体を挟み込んで搬送する第１ローラー対、および、前記第２ヘッドの近傍において前記記録媒体を挟み込んで搬送する第２ローラー対を備え、
前記開閉ユニットが前記開位置にある状態では、前記搬送経路における少なくとも前記第１ローラー対と前記第２ローラー対との間の部分が外部に露出されることを特徴とする記録媒体処理装置。
【請求項５】
請求項４において、
前記第１ローラー対と前記第２ローラー対の少なくとも一方は、前記開閉ユニットに取り付けられている分離ローラーと、前記フロントフレームに対して固定もしくは一体に形成されているメインフレームに取り付けられている固定ローラーとの間に前記記録媒体を挟み込むように構成されていることを特徴とする記録媒体処理装置。
【請求項６】
請求項５において、
前記第１ヘッドは磁気読取ヘッドであり、
前記第１ローラー対は、前記フロントフレームに取り付けられているローラーと、前記メインフレームに取り付けられているローラーとの間に前記記録媒体を挟み込むように構成されていることを特徴とする記録媒体処理装置。
【請求項７】
請求項４ないし６のいずれかの項において、
前記第２ヘッドは記録ヘッドであり、前記開閉ユニットに搭載されていることを特徴とする記録媒体処理装置。
【請求項８】
請求項１ないし７のいずれかの項において、
前記開閉ユニットに、前記閉位置において前記搬送経路に沿って前記記録媒体を案内する案内面が設けられていることを特徴とする記録媒体処理装置。
【請求項９】
請求項１ないし８のいずれかの項において、
前記搬送経路は、前記記録媒体の一方の面を案内する第１案内面と、他方の面を案内する第２案内面によって規定される溝であり、
当該溝は、前記片持ちフレームの先端側に向かって開口していることを特徴とする記録媒体処理装置。
【発明の詳細な説明】
【技術分野】
【０００１】
本発明は、小切手などのシート状の記録媒体を複数のヘッドおよび搬送用のローラー対を経由する搬送経路に沿って搬送する記録媒体処理装置に関する。
【背景技術】
【０００２】
小切手などのシート状の記録媒体から磁気インク文字（ＭＩＣＲ）によって記載された情報を読み取ると共に、この記録媒体に記録ヘッドによって印刷を行う小切手処理装置においては、磁気インク文字の読み取りを行うための磁気読取ヘッド、および、印刷を行うための記録ヘッドを経由する搬送経路が装置内に設けられ、この搬送経路に沿って小切手などを搬送している。例えば、小型の小切手読取装置では、装置前面に設けられた小切手挿入口から装置の奥に向かって直線状に伸びる搬送経路部分に磁気読取ヘッドを配置し、その奥の湾曲した搬送経路部分を経由して装置上方あるいは装置前方に向かう搬送経路部分に記録ヘッドを配置している。
【０００３】
特許文献１には、この種の記録媒体処理装置（複合処理装置）が開示されている。特許文献１の複合処理装置は、装置前部に磁気読取ヘッドおよび記録ヘッドを備えた小切手処理部を設け、その後方に、ロール紙への印刷を行うためのロール紙ユニットが設けられている。この複合処理装置では、ロール紙ユニットの後端が装置後方に設けられた回転支軸によって回転自在に支持されており、ロール紙ユニットを装置上方側に旋回させることにより、装置上面のユニットカバーを開閉することができる。これにより、小切手処理部における搬送経路の後半の縦に延びる部分に配置されている記録ヘッドを露出させ、記録ヘッドにおける消耗品の交換作業や、小切手排出口の手前に設けられたカッター装置の保守作業を容易に行うことができる。
【先行技術文献】
【特許文献】
【０００４】
【特許文献１】特開２０００−４３３３９号公報
【発明の概要】
【発明が解決しようとする課題】
【０００５】
特許文献１の構成は、ロール紙ユニットの開閉により、装置上面の小切手排出口へ向かって縦向きに延びる搬送経路部分を露出させることができるものの、装置前面の小切手挿入口から装置後方に向かって横向きに延びている搬送経路部分から、この縦向きに延びる搬送経路部分に至る湾曲した搬送経路部分を露出させることはできない。この湾曲した部分は、横向きの搬送経路部分に設けられた磁気読取ヘッドの近傍に設けられた搬送ローラー対や、縦向きの搬送経路部分に設けられた記録ヘッドの近傍に設けられた搬送ローラー対などの搬送ローラー対が配置されている。すなわち、この部分は、搬送経路の最も奥まった位置にあり、且つ、２つの搬送ローラー対によって小切手挿入口と小切手排出口から遮られているため、小切手挿入口と小切手排出口のどちらの側からもアクセスが困難である。このため、この部分で紙ジャムが発生すると、紙ジャムの発生位置に手が届かず、詰まった小切手を除去するためには装置を分解しなければならない。よって、復帰に手間がかかるという問題があった。また、装置の分解時に部品が破損したり、部品を紛失して元通りに復帰できなくなるという問題点があった。
【０００６】
本発明の課題は、このような点に鑑みて、小切手などの記録媒体を搬送する搬送経路における奥まった位置にある部分（搬送ローラー対による搬送位置）を容易に露出可能な構成とすることにより、この区間で発生した紙ジャムなどの不具合から復帰するための保守作業を容易に行うことを可能にした記録媒体処理装置を提案することにある。
【課題を解決するための手段】
【０００７】
上記の課題を解決するために、本発明の記録媒体処理装置は、
シート状の記録媒体に対する情報の記録もしくは読み取りを行うヘッドと、
当該ヘッドを経由する前記記録媒体の搬送経路において前記記録媒体を挟み込んで搬送するローラー対と、
前記搬送経路を横断する方向に片持ち状態で延びている片持ちフレームと、
当該片持ちフレームに一端が回転自在に支持されている開閉ユニットと、を有し、
当該開閉ユニットは、前記一端を中心として旋回することにより、前記搬送経路における少なくとも前記ローラー対による搬送位置を覆う閉位置と、当該搬送位置を外部に露出させる開位置との間を移動することを特徴としている。
【０００８】
本発明は、このように、一方の側端を開放した溝状の搬送経路を設けた構成などにおいて用いられている片持ちフレームを利用して、この片持ちフレームによって一端が回転自在に支持されている開閉ユニットを設けることにより、搬送経路における少なくともローラー対による搬送位置の部分を開閉可能にしている。このような構成により、搬送経路の奥まった位置にあり、且つ、ローラー対によって記録媒体の挿入口や排出口から遮られている部分を必要に応じて外部に露出させることができる。よって、この部分に記録媒体が詰まった場合に復帰作業を容易に行うことができ、この部分の保守作業を容易に行うことができる。
【０００９】
本発明において、前記片持ちフレームは、前記搬送経路への記録媒体の挿入口が形成された装置前面部分を構成しているフロントフレームの上縁部分であり、前記開閉ユニットは、前記上縁部分に沿って延びる回転中心線を中心として、前記搬送経路の上方に立ち上がる前記開位置と、前記搬送経路に沿って倒れている前記閉位置との間を移動する構成とすることができる。このように、本発明は、フロントフレームの上縁部分を利用して開閉ユニットを支持しており、搬送経路の奥まった部分の上に配置された機構を開閉ユニットと一体に構成することができる。よって、開閉ユニットを記録媒体の挿入口側に上向きに旋回させることができ、これにより、搬送経路の奥まった部分を開閉することができる。
【００１０】
このとき、前記搬送経路は、前記挿入口から装置後方に向かって延びる第１搬送経路部分と、当該第１搬送経路部分の後端から上向きに湾曲する円弧状搬送経路部分と、当該円弧状搬送経路部分の後端から装置上面に設けられた前記記録媒体の排出口まで延びる第２搬送経路部分とを備え、前記開閉ユニットが前記開位置にある状態では、少なくとも前記円弧状搬送経路部分が外部に露出される構成とすることができる。このような構成では、例えば、円弧状搬送経路部分の上方、且つ、円弧状搬送経路部分および第２搬送経路部分よりも装置前面側に設けられた機構を開閉ユニットに搭載して開閉ユニットと共に移動させることにより、円弧状搬送経路部分を外部に露出させることが可能になる。よって、搬送経路の湾曲した部分に詰まった記録媒体を容易に除去することができ、この部分において発生した不具合からの復帰作業を容易に行うことができる。
【００１１】
ここで、本発明において、前記第１搬送経路部分に設けられた第１ヘッドと、前記第２搬送経路部分に設けられた第２ヘッドを含む少なくとも２つの前記ヘッドを備えると共に、前記第１ヘッドの近傍において前記記録媒体を挟み込んで搬送する第１ローラー対、および、前記第２ヘッドの近傍において前記記録媒体を挟み込んで搬送する第２ローラー対を備え、前記開閉ユニットが前記開位置にある状態では、前記搬送経路における少なくとも前記第１ローラー対と前記第２ローラー対との間の部分が外部に露出される構成とすることができる。このように、各ヘッドの近傍にそれぞれ搬送用のローラー対を設けることにより、ヘッドを通過する際の記録媒体の搬送精度を向上させることができる。また、複数のヘッド間の搬送経路（複数のローラー対の間の区間）に詰まった記録媒体を容易に除去することができる。
【００１２】
このとき、前記第１ローラー対と前記第２ローラー対の少なくとも一方を、前記開閉ユニットに取り付けられている分離ローラーと、前記フロントフレームに対して固定もしくは一体に形成されているメインフレームに取り付けられている固定ローラーとの間に前記記録媒体を挟み込むように構成することが望ましい。このようにすれば、開閉ユニットを開位置に移動させることによって分離ローラーを固定ローラーから離すことができるので、このローラー間に挟み込まれていた記録媒体を容易に除去することが可能となる。
【００１３】
また、前記第１ヘッドが磁気読取ヘッドである場合には、前記第１ローラー対を、前記フロントフレームに取り付けられているローラーと、前記メインフレームに取り付けられているローラーとの間に前記記録媒体を挟み込むように構成することが望ましい。このようにすれば、磁気読取ヘッドの近傍に設けたローラー対は開閉ユニットが動作しても移動しないので、精度の高い取付状態を維持することができる。よって、磁気読取ヘッドの近傍における記録媒体の搬送精度を、開閉ユニットの開閉動作によって低下させないようにすることができる。
【００１４】
本発明において、前記第２ヘッドは記録ヘッドであり、前記開閉ユニットに搭載されている構成にすることができる。このようにすれば、搬送経路に沿った部分だけでなく、記録ヘッド全体を開閉ユニットと共に移動させて外部に露出させることができるので、記録ヘッドのメンテナンスや消耗品の交換が容易になる。
【００１５】
また、本発明において、前記開閉ユニットに、前記閉位置において前記搬送経路に沿って前記記録媒体を案内する案内面を設けた構成にすることができる。このような構成では、開閉ユニットの開位置への移動に伴って案内面も移動し、ただちに記録媒体が露出される。よって、開閉ユニットの開閉動作のみによって搬送経路を開閉することができる。
【００１６】
このとき、前記搬送経路は、前記記録媒体の一方の面を案内する第１案内面と、他方の面を案内する第２案内面によって規定される溝であり、当該溝は、前記片持ちフレームの先端側に向かって開口している構成にすることができる。このように、搬送経路を一端が開口している溝状に形成すると、搬送経路の幅以上の記録媒体を搬送することができる。そして、このような構成においては、案内面を支持するフレームが溝の開口に先端を向けて延びる片持ち状態に形成されるので、この片持ちフレーム利用して開閉ユニットを支持させることができる。
【発明の効果】
【００１７】
本発明によれば、一方の側端を開放した溝状の搬送経路を設けた構成などにおいて用いられている片持ちフレームを利用して、搬送経路における少なくともローラー対による搬送位置の部分を開閉するための開閉ユニットを設置したことにより、搬送経路の奥まった位置にあり、且つ、ローラー対によって記録媒体の挿入口や排出口から遮られている部分を必要に応じて外部に露出させることができる。よって、この部分に記録媒体が詰まったときの復帰作業を容易に行うことができ、この部分の保守作業を容易に行うことができる。
【図面の簡単な説明】
【００１８】
【図１】斜め右前方から見た小切手処理装置の外観斜視図である。
【図２】斜め左前方から見た小切手処理装置の外観斜視図である。
【図３】装置フレームおよび内部機構の斜視図（閉位置）である。
【図４】装置フレームおよび内部機構の側面図（閉位置）である。
【図５】図３に小切手搬送経路の紙案内部材を加えた斜視図（閉位置）である。
【図６】図４に小切手搬送経路の紙案内部材を加えた側面図（閉位置）である。
【図７】装置フレームの分解斜視図である。
【図８】装置フレームを斜め後方から見た斜視図である。
【図９】装置フレームおよび内部機構の斜視図（開位置）である。
【図１０】装置フレームおよび内部機構の側面図（開位置）である。
【図１１】図９に小切手搬送経路の紙案内部材を加えた斜視図（開位置）である。
【図１２】図１０に小切手搬送経路の紙案内部材を加えた側面図（開位置）である。
【発明を実施するための形態】
【００１９】
以下に、図面を参照して、本発明を適用した小切手処理装置の実施形態を説明する。
【００２０】
（全体構成）
図１および図２は小切手処理装置の外観斜視図であり、図１は斜め右前方から見た外観斜視図、図２は斜め左前方から見た斜視図である。小切手処理装置１（記録媒体処理装置）は、本体ケース２と、本体ケース２の前方上部に設けられた開閉ユニットカバー３と、本体ケース２の後方上部に設けられたロール紙ユニットカバー４とを備えている。小切手処理装置１の装置上面には、開閉ユニットカバー３の後端とロール紙ユニットカバー４の前端との隙間に、装置幅方向に延びる細い溝状の小切手排出口５が設けられている。本体ケース２は、中ケース２ａと下ケース２ｂを備えており、中ケース２ａの前面左側寄りの位置に、小切手（記録媒体）を手差しで挿入するための小切手挿入口６が形成されている。小切手挿入口６は、装置幅方向に延びるやや広い溝状に形成されている。
【００２１】
図２に示すように、小切手処理装置１の左側面には、小切手挿入口６から小切手排出口５に至る小切手搬送経路Ａの左端が開口している。小切手搬送経路Ａは、装置前面から装置後方に向かって直線状に延びる第１搬送経路部分Ｂと、この第１搬送経路部分Ｂの後端から上向きの円弧状に延びる円弧状搬送経路部分Ｃと、この円弧状搬送経路部分Ｃの後端から装置上面に向かって縦向きに延びる直線状の第２搬送経路部分Ｄを備えた屈曲形状となっている。このように、小切手搬送経路Ａの一方の側端を開放した構成とすることにより、小切手搬送経路Ａよりも幅の広い小切手を搬送することができる。
【００２２】
開閉ユニットカバー３の下部には、紙案内部材７Ａおよび７Ｂが取り付けられている。小切手搬送経路Ａは、開閉ユニットカバー３の後端部分から紙案内部材７Ａの後部および紙案内部材７Ｂの下部にかけて形成されている上案内面８（案内面／第１案内面）と、この上案内面８と所定の隙間を介して対峙するように中ケース２ａ側に形成されている下案内面９（第２案内面）によって規定されている。上案内面８における装置前面付近の部分は小切手挿入口６側に向かって斜め上方に傾斜する傾斜面８ａとなっている。この傾斜面８ａにより、第１搬送経路部分Ｂを構成している溝の幅（開口高さ）が小切手挿入口６に向かって拡がっており、手差しで小切手を挿入しやすい構成となっている。
【００２３】
図３および図４は、小切手処理装置の装置フレームおよび内部機構の斜視図および側面図である。また、図５および図６は、図３および図４に示した内部構成に、小切手搬送経路の紙案内部材（紙案内部材７Ａ、７Ｂおよび中ケース２ａの下案内面９）の部分を加えて表示した斜視図および側面図である。図４および図６には、開閉ユニットカバー３の取付位置を破線で示している。なお、本実施形態では、装置後方のロール紙ユニットカバー４で覆われた部分にロール紙への印刷を行うロール紙ユニットが設けられているが、以下の説明および図面では、ロール紙ユニットについては図示および説明を省略している。
【００２４】
図３および図４に示すように、第１搬送経路部分Ｂには、傾斜面８ａの下端付近において下向きに配置されている磁気読取ヘッド１０（第１ヘッド）と、この磁気読取ヘッド１０の装置後方側に配置されている搬送用のローラー対１１（第１ローラー対）が設けられている。磁気読取ヘッド１０は、小切手に記録された磁気インク文字（ＭＩＣＲ文字）を読み取り可能に構成されている。小切手処理装置１は、読み取った情報に基づいて小切手の有効・無効や、口座番号などを判断する。
【００２５】
ローラー対１１は、上案内面８側に配置されているローラー１１Ａと、このローラー１１Ａに下案内面９側から対峙するように配置されているローラー１１Ｂを備えており、これらのローラー面を上下方向に当接させて小切手を挟み込むように構成されている。ローラー１１Ａ、１１Ｂのいずれか一方を駆動することにより、ローラー対１１に挟み込まれた小切手が搬送される。
【００２６】
第２搬送経路部分Ｄには、小切手排出口５よりもやや下に配置されている表面印刷用の記録ヘッド１２（第２ヘッド）と、この記録ヘッド１２の装置下方側に配置されている搬送用のローラー対１３（第２ローラー対）と、ローラー対１３よりも下に配置されている裏面印刷用の記録ヘッド１４が設けられている。ローラー対１３は、第２搬送経路部分Ｄの装置前面側に配置されているローラー１３Ａ（分離ローラー）と、このローラー１３Ａに装置後方側から対峙するように配置されているローラー１３Ｂ（固定ローラー）を備えており、これらのローラー面を装置前後方向に当接させて小切手を挟み込むように構成されている。ローラー１３Ａ、１３Ｂのいずれか一方を駆動することにより、ローラー対１３に挟み込まれた小切手が搬送される。
【００２７】
記録ヘッド１２は、そのヘッド面を装置後方に向けた状態で、第２搬送経路部分Ｄの装置前方側に配置されている。すなわち、記録ヘッド１２は、小切手挿入口６への挿入時に上を向いている面（小切手の表面）への印刷が可能なヘッドであり、支払先、日付、金額などの表書き事項を小切手の表面に印刷する。一方、記録ヘッド１４は、そのヘッド面を装置前方に向けた状態で第２搬送経路部分Ｄの装置後方側に配置されている。すなわち、記録ヘッド１２は、小切手挿入口６への挿入時に下を向いている面（小切手の裏面）への印刷が可能なヘッドであり、金額や認証番号などの裏書き事項を小切手の裏面に印刷する。本実施形態での記録ヘッド１２、１４は、インクリボン上のインクをインパクトヘッドにより小切手に転写するドットインパクト方式の印刷ヘッドである。なお、他の印刷方式の記録ヘッドを用いることもできる。
【００２８】
図７は、図３〜図６における装置フレームの部分の分解斜視図であり、図８は装置フレームの斜め後方から見た斜視図である。小切手処理装置１は、装置前面部分を構成しているフロントフレーム１５と、このフロントフレーム１５の下端および側端から装置後方側に延びているメインフレーム１６と、フロントフレーム１５の上部に支持されているキャリッジフレーム１７を備えている。メインフレーム１６は、フロントフレーム１５の各部に対して固定状態もしくは一体に形成されている。
【００２９】
フロントフレーム１５は、小切手挿入口６に対応する部分が凹状に切り欠かれて左側に開口した形状となっており、小切手挿入口６の上部を横断するように片持ち状態で延びている上縁フレーム１８（片持ちフレーム）を備えている。磁気読取ヘッド１０は、上縁フレーム１８もしくは上縁フレーム１８から下向きに延びる取付部材を介して、フロントフレーム１５における上縁フレーム１８の下部に固定されている。
【００３０】
上縁フレーム１８は、その右端から装置幅方向中央よりもやや左側の位置までは装置後方側に向かって一定の奥行き寸法で平面状に延びており、装置前面側から見て左奥の部分が段差状に切り欠かれた平面形状となっている。この切り欠かれた部分の縁から装置後方に向かって斜め下向きに側フレーム１９が延びている。図３、図４に示すように、側フレーム１９の先端部分には、ローラー１１Ａの回転軸１１ａを回転自在に支持する軸受け部が形成されている。ローラー１１Ａと対峙するローラー１１Ｂの回転軸１１ｂは、メインフレーム１６に設けられた軸受け部に回転自在に支持されている。
【００３１】
キャリッジフレーム１７は、矩形平面状の底板１７ａの左右両端縁から上向きに側板１７ｂ、１７ｃを立ち上げ、側板１７ｂ、１７ｃの前端の間に前板１７ｄを設けた浅い箱型形状に形成されている。左右の側板１７ｂ、１７ｃの前端下部には、軸穴が形成された取付片１６ｅが形成されている。各取付片１６ｅは、上縁フレーム１８の左右両端に形成された各取付片１８ａに対応する位置に設けられている。キャリッジフレーム１７は、各取付片１７ｅを各取付片１８ａに位置合わせして、図示しない支持ピン等を軸穴に挿通することにより、上縁フレーム１８に対して回転自在に取り付けられる。すなわち、キャリッジフレーム１７は、上縁フレーム１８に沿って装置幅方向に延びる回転中心線Ｅを中心として回転自在となっている。
【００３２】
図９〜図１２は、キャリッジフレームを図８の位置（後述する開位置Ｐ２）まで旋回させた状態を示す斜視図および側面図である。図９および図１０では、図３および図４と同様に装置フレームおよび内部機構の部分のみを示しており、図１１および図１２では、図５および図６と同様に、小切手搬送経路の紙案内部材の部分を加えて示している。キャリッジフレーム１７は、図３〜図６に示す横向き位置と、図９〜図１２に示す斜め上向きに旋回した位置との間で移動可能に構成されている。つまり、本実施形態では、キャリッジフレーム１７およびこれに搭載されている各部材が、上縁フレーム１８によって回転自在に支持された開閉ユニット２０として構成されている。開閉ユニット２０は、図５、図６に示す閉位置Ｐ１と、図１１、図１２に示す開位置Ｐ２との間で移動可能に構成されている。なお、開閉ユニット２０の開位置Ｐ２を、図１１、図１２に示す位置よりも更に装置手前側に旋回させた位置に設定してもよい。
【００３３】
キャリッジフレーム１７における側板１７ｂ、１７ｃの後端には、ローラー１３Ａの回転軸１３ａが回転自在に支持されている。一方、ローラー１３Ｂの回転軸１３ｂは、メインフレーム１６に支持されている。このように、ローラー対１３は、一方のローラー１３Ａが開閉ユニット２０に含まれ、他方のローラー１３Ｂが開閉ユニットに含まれない。よって、開閉ユニット２０が回転中心線Ｅを中心として上向きに旋回するときには、ローラー１３Ａおよび回転軸１３ａがキャリッジフレーム１７と共に移動してローラー１３Ｂおよび回転軸１３ｂから分離される。これにより、開閉ユニット２０を開位置Ｐ２に移動させたときにはローラー対１３による記録媒体の挟み込み状態が解除され、記録媒体を容易に除去することができる。
【００３４】
また、キャリッジフレーム１７には、記録ヘッド１２を搭載している図示しないキャリッジと、このキャリッジをタイミングベルトによって装置幅方向に往復移動させるキャリッジ走査機構が搭載されており、これらの機構の上部を覆うように、開閉ユニットカバー３が取り付けられている。これに加えて、小切手搬送経路Ａの上案内面８を形成している２つの紙案内部材７Ａ、７Ｂのうち、装置後方側に配置されている紙案内部材７Ａがキャリッジフレーム１７に取り付けられている。従って、キャリッジフレーム１７が回転中心線Ｅを中心として旋回するときには、上記のローラー１３Ａおよび回転軸１３ａに加えて、記録ヘッド１２およびキャリッジ走査機構と、紙案内部材７Ａおよび開閉ユニットカバー３が、キャリッジフレーム１７と一体になって装置上方に移動する。
【００３５】
開閉ユニット２０は、閉位置Ｐ１にあるときには小切手搬送経路Ａに沿って倒れた状態となっており、紙案内部材７Ｂの後面から下面にかけての部分が上案内面８として機能する。すなわち、閉位置Ｐ１では、紙案内部材７Ｂが円弧状搬送経路部分Ｃおよび第２搬送経路部分Ｄを規定している状態が形成されている。また、閉位置Ｐ１では、記録ヘッド１２による印刷動作およびローラー対１３による搬送動作が可能な状態が形成されている。よって、小切手処理装置１は、開閉ユニット２０を閉位置Ｐ１に移動させることにより、ローラー対１１、１３による記録媒体の搬送動作、および、記録ヘッド１２、１４と磁気読取ヘッド１０の各ヘッドによる印刷や読み取りなどの各処理を行うことができる。
【００３６】
一方、開閉ユニット２０は、開位置Ｐ２にあるときには小切手搬送経路Ａの上方に斜めに立ち上がる状態となっており、この状態では、円弧状搬送経路部分Ｃおよび第２搬送経路部分Ｄの上部を覆っている部材が、この部分の上案内面８を含めて、全て装置前面側に移動している。つまり、この状態では、ローラー対１１による搬送位置を含む円弧状搬送経路部分Ｃ、および、ローラー対１３による搬送位置を含む第２搬送経路部分Ｄが外部に露出されている。よって、第１搬送経路部分Ｂの後端に配置されたローラー対１１から、記録ヘッド１２のすぐ下に配置されたローラー対１３までの奥まった区間に詰まった記録媒体を容易に除去することができる。また、円弧状搬送経路部分Ｃおよび第２搬送経路部分Ｄに配置されている機構が外部に露出しているので、これらのメンテナンスを行うことができる。さらに、このとき、開閉ユニット２０に搭載されている記録ヘッド１２などの内部機構も外部に露出しているので、これらのメンテナンスを行うこともできる。なお、メンテナンス中に開閉ユニット２０を開位置Ｐ２で保持させるための保持機構を設けておくことが望ましい。
【００３７】
小切手挿入口６寄りの位置に配置されている紙案内部材７Ｂは、フロントフレーム１５に取り付けられているため、キャリッジフレーム１７が旋回しても移動しない。同様に、フロントフレーム１５に支持されている磁気読取ヘッド１０と、フロントフレーム１５およびメインフレーム１６に支持されているローラー対１１は、キャリッジフレーム１７が旋回しても移動しない構成となっている。本実施形態では、磁気読取ヘッド１０による読み取りを行う際には、読み取り位置において高精度に記録媒体を搬送することが望ましいことを考慮して、磁気読取ヘッド１０の近傍に配置したローラー対１１については、開閉ユニット２０に搭載しない構成としている。これにより、開閉ユニット２０の開閉動作によってローラー対１１の取付精度が低下するのを抑制でき、搬送精度の低下を抑制することができる。
【００３８】
上記実施形態は、磁気読取ヘッド１０および記録ヘッド１２、１４の３つのヘッドを搭載するものであったが、本発明は、このような構成に限定されない。例えば、これらのヘッドのいずれかを省略したものであっても良いし、他のヘッドを追加したものであってもよい。例えば、光学式の読取ヘッドを有するスキャナーや、複数の記録ヘッドのみを有するプリンターなどに本発明を適用してもよい。このとき、各ヘッドの近傍において記録媒体を搬送するローラー対をローラー対１１のように固定式とするか、ローラー対１３のように分離式とするかは、各搬送位置における要求搬送精度などに応じて適宜決定することができる。また、搬送経路の形状は上記のような屈曲形状に限定されず、装置内のヘッドの配置に応じて適宜設定することができる。更に、開閉ユニット２０により開閉可能な小切手搬送経路Ａの区間を、上記のように円弧状搬送経路部分Ｃと第２搬送経路部分Ｄの全区間とせず、円弧状搬送経路部分Ｃの区間のみ、あるいは、少なくともローラー対１１もしくはローラー対１３のいずれか一方による搬送位置を含む区間のみとするように開閉ユニット２０を構成してもよい。このような構成であっても、小切手搬送経路Ａにおける奥まった位置にある搬送ローラー対による搬送位置を開閉できるため、この部分に詰まった記録媒体の除去が容易となる。なお、記録媒体についても、小切手などの定型のシート状媒体だけでなく連続紙を用いることが可能な構成にしてもよい。
【符号の説明】
【００３９】
１…小切手処理装置（記録媒体処理装置）、２…本体ケース、２ａ…中ケース、２ｂ…下ケース、３…開閉ユニットカバー、４…ロール紙ユニットカバー、５…小切手排出口、６…小切手挿入口、７Ａ…紙案内部材、７Ｂ…紙案内部材、８…上案内面（案内面／第１案内面）、８ａ…傾斜面、９…下案内面（第２案内面）、１０…磁気読取ヘッド（第１ヘッド）、１１…ローラー対（第１ローラー対）、１１Ａ…ローラー、１１Ｂ…ローラー、１１ａ、１１ｂ…回転軸、１２…記録ヘッド（第２ヘッド）、１３…ローラー対（第２ローラー対）、１３Ａ…ローラー（分離ローラー）、１３Ｂ…ローラー（固定ローラー）、１３ａ、１３ｂ…回転軸、１４…記録ヘッド、１５…フロントフレーム、１６…メインフレーム、１７…キャリッジフレーム、１７ａ…底板、１７ｂ、１７ｃ…側板、１７ｄ…前板、１７ｅ…取付片、１８…上縁フレーム（片持ちフレーム）、１８ａ…取付片、１９…側フレーム、２０…開閉ユニット、Ａ…小切手搬送経路、Ｂ…第１搬送経路部分、Ｃ…円弧状搬送経路部分、Ｄ…第２搬送経路部分、Ｅ…回転中心線、Ｐ１…閉位置、Ｐ２…開位置
【図１】
2011111311.tif 000003
【図２】
2011111311.tif 000004
【図３】
2011111311.tif 000005
【図４】
2011111311.tif 000006
【図５】
2011111311.tif 000007
【図６】
2011111311.tif 000008
【図７】
2011111311.tif 000009
【図８】
2011111311.tif 000010
【図９】
2011111311.tif 000011
【図１０】
2011111311.tif 000012
【図１１】
2011111311.tif 000013
【図１２】
2011111311.tif 000014